(57)【特許請求の範囲】
【請求項１】
光ディスクを記録速度倍率を可変に記録可能な光ディスク記録装置であって、
光ディスクから読み出されたＨＦ信号から直流成分を除去した信号の＋側のピーク値をＡ１、−側のピーク値をＡ２として、
β＝（Ａ１＋Ａ２）／（Ａ１−Ａ２）
で表されるβをピットの記録深さの目標値に関連するパラメータであるターゲットβと定義して、
記録速度倍率が高くなるほどレーザ光の記録パワーを高くするとともに、
記録速度倍率が高くなるにつれてターゲットβの最適な範囲が該ターゲットβの値の低い方に推移していく光ディスクの特性に合わせて、記録速度倍率が高くなるほど、再生信号のターゲットβの値が低くなるようにレーザ光の記録パワー値を制御して記録を行う制御手段を具備している光ディスク記録装置。
【請求項２】
光ディスクを記録速度倍率を可変に記録可能な光ディスク記録装置であって、
光ディスクから読み出されたＨＦ信号から直流成分を除去した信号の＋側のピーク値をＡ１、−側のピーク値をＡ２としてβを、
β＝（Ａ１＋Ａ２）／（Ａ１−Ａ２）
と定義し、ジッタとβとの関係においてジッタが良好に推移する範囲のβの範囲をβの最適な範囲とし、
記録速度倍率が高くなるほど、再生信号のβの値が前記βの最適な範囲に適合するようレーザ光の記録パワーを高くするとともに、
記録速度倍率が高くなるにつれてβの最適な範囲がβの値の低い方に推移していくのに合わせて、記録速度倍率が高くなるほど、再生信号のβの値が低くなるようにレーザ光の記録パワー値を制御して記録を行う制御手段を具備している光ディスク記録装置。
【発明の詳細な説明】
【０００１】
【発明の属する技術分野】
この発明は、レーザ光を光ディスクの記録面に照射してピットを形成して情報の記録を行うマーク長記録方式の光ディスク記録装置に関し、各種記録速度倍率で記録を行ったときの再生信号品位の向上を図ったものである。
【０００２】
【従来の技術】
書込可能型光ディスクの１つの規格として、ＣＤ−ＷＯ（ＣＤ ＷｒｉｔｅＯｎｃｅ）規格（通称オレンジブック規格）がある。ＣＤ−ＷＯ規格では、ピット形式時のレーザ光の照射時間の規格（記録ストラテジー）がディスクの色素種類によらず１倍速記録時、２倍速記録時ともに
（ｎ−１）Ｔ＋Δ３Ｔ
但し、ｎＴ：形成するピット長でｎ＝３〜１１
Δ３Ｔ：３Ｔ長ピット記録時に付加する値
と定められている。
【０００３】
また、ピットの記録深さの目標値に関連するパラメータとしてターゲットβが定義されている。ターゲットβは、光ディスクから読み出された信号（ＨＦ信号）から直流成分を除去した信号の＋側のピーク値をＡ１、−側のピーク値をＡ２とすると、それらの和と差の比すなわち、
β＝（Ａ１＋Ａ２）／（Ａ１−Ａ２）
として定義される。記録速度倍率が同じ場合には、記録パワーを高くするとターゲットβの値は高くなり記録パワーを低くするとターゲットβの値は低くなる。また、記録速度倍率が異なる場合には、ターゲットβの値を一定に保つには、記録速度倍率が高くなるほど記録パワーを高くする必要がある。オレンジブック規格では、ターゲットβの値が、記録速度倍率によらず０〜８％と定められている。すなわち、記録速度倍率によらずターゲットβの値が０〜８％となるように、記録速度倍率ごとに記録パワー値が定められる。
【０００４】
また、本出願人の出願に係る特願平８−２３３５９６には、レーザ光の照射時間が
（ｎ−Ｋ）Ｔ＋α(nT)−β(mT)
但し、Ｋ：定数
α(nT)：ピット長ごとの補正量で、例えば
α(3T)≧α(4T)≧α(5T)≧……≧α(8T) （α(3T)＞α(8T)）
β(mT)：直前のランド長ごとの補正量（ターゲットβとは無関係のパラメータ）で、少くとも
β(3T)≧β(4T)≧β(5T)≧……≧β(8T) （β(3T)＞β(8T)）
で、Ｋ値をディスクの色素種類によらず、６倍速記録でＫ＝０〜０．５Ｔ、８倍速記録でＫ＝０〜０．３Ｔに設定した記録ストラテジーが開示されている。
【０００５】
【発明が解決しようとする課題】
光ディスクの記録状態は、光ディスクの色素種類や記録速度倍率によって変化し、前記オレンジブック規格による統一の照射時間制御では最適な再生信号品位が得られなかった。また、記録速度倍率を高くして記録するにつれて再生信号に波形歪が現れ易くなるため、記録速度倍率によらずターゲットβの値を０〜８％に固定すると、記録速度倍率が高くなるにつれて再生信号波形に波形歪が現れ易くなり、再生信号品位が悪化していた。また、特願平８−２３９３９６の記録ストラテジーでは、ディスク種類によっては必ずしも最適な再生信号品位が得られなかった。
【０００６】
この発明は、前記従来の技術における問題点を解決して、記録速度倍率に応じて最適な再生信号品位が得られる光ディスク記録装置を提供しようとするものである。
【０００７】
【課題を解決するための手段】
この発明は、光ディスクを記録速度倍率を可変に記録可能な光ディスク記録装置であって、記録速度倍率が高くなるほど、ピットの記録深さの目標値に関連するパラメータである再生信号のターゲットβの値が低くなるようにレーザ光の記録パワー値を制御して、記録を行う制御手段を具備しているものである。これによれば、記録速度倍率を高くして記録しても、再生信号に波形歪が現れにくくなり、再生信号品位が向上する。
【０００８】
記録速度倍率が高くなるほど再生信号のターゲットβの値が低くなるようにレーザ光の記録パワー値を制御して記録を行う方法としては、例えば記録速度倍率が高くなるほど低くなるターゲットβの最適値を予め求めて、記録速度倍率ごとのターゲットβの最適値を目標値としてメモリに記憶しておき、記録速度倍率を設定してオレンジブック規格で定められているＯＰＣ（Optimum Power Control）制御による試し記録を実行して、該記録速度倍率について定められたターゲットβの目標値が実現されるレーザ光の記録パワー値を自動的に求めてメモリに記憶し、該記録速度倍率での本番の記録時に、該記録パワー値を目標値として実際の記録パワー値を制御して記録を行うようにすることができる。
【０００９】
この場合、ＯＰＣ制御は、例えば従来のＯＰＣ制御と同様に、記録速度倍率を一定に保持して、レーザ光の記録パワーを様々に変化させてリードイン領域よりも内周側のＰＣＡ（Power Calibration Area）に試し記録を行い、記録後これを再生し、再生ＨＦ信号に含まれる直流成分をハイパスフィルタ等でカットし、該信号の＋側のピーク値と−側のピーク値を検出し、両ピーク値の和と差の比を演算して記録パワーごとのターゲットβの値を求め、該各演算結果を該記録速度倍率について定められたターゲットβの目標値と比較し、該目標値に最も近いターゲットβの値が得られる記録パワーを求め、該記録パワーを記録速度倍率における記録パワーの目標値として記憶する。ＯＰＣ制御はこの一連の動作を自動的に実行する。
【００１０】
また、記録速度倍率が高くなるほど再生信号のターゲットβの値が低くなるようにレーザ光の記録パワー値を制御して記録を行う別の方法としては、光ディスク記録装置が自らＯＰＣ制御を行うのに代えて、ディスク種類ごと（色素種類別、メーカ別等）に、記録速度倍率が高くなるほど低くなるターゲットβの最適値を実現する記録パワー値を別途予め求めてメモリに記憶して光ディスク記録装置に予め組み込んでおき、光ディスク記録装置は記録を行うときに、ディスク種類を光ディスクに記録されたディスクＩＤ等により検出し、これと記録速度倍率の設定情報により、該当する記録パワー値をメモリから読み出して、該記録パワー値を目標値として記録パワー値を制御して実際の記録を行うようにすることができる。
【００１２】
【発明の実施の形態】
この発明で用いる記録用レーザ光のレーザパワーの時間変化パターンの一例を図２に示す。これはレーザ光の照射時間を、記録すべきピット長ｎＴ（ｎ＝３，４，……，１１）に応じて
（ｎ−Ｋ）Ｔ＋Δ３Ｔ
但し、Ｋ：定数（同一記録速度倍率ではピット長に関係なく一定）
Δ３Ｔ：３Ｔ長ピット記録時に付加する値
に制御するとともに、各ピットを形成するレーザ光の照射開始当初にレーザ光のビームパワー値を基準の記録パワー値に対して所定期間一時的に増大させるトップパワー付加パルスを、該当する記録速度倍率（後述する表１〜表５においてΔＰ値が０％以外の記録速度倍率）については全てのピット長のピットに付加する制御を行うようにしたものである。すなわち、ｎ＝３のときはレーザパワーを（３−Ｋ）Ｔ＋Δ３Ｔの期間トップパワーＰｔに高めて３Ｔ長のピットを形成し、ｎ＝４〜１１のときはレーザパワー（ｎ−Ｋ）Ｔの期間トップパワーＰｔに高めて４Ｔ〜１１Ｔ長のピットを形成する。ピットとピットの間はレーザパワーをボトムパワーＰｂに下げてランドを形成する。トップパワーＰｔの立上り当初には付加レベル値がΔＰで幅がΔｔのトップパワー付加パルスＰ１を付加して、エネルギ投入量（増加量）を微調整して、ピット後縁位置を微調整する。また、必要に応じて、トップパワーＰｔの立下り当初にパワー値が０で適宜の幅のボトムパワーオフパルスＰ２を形成して、エネルギ投入量（減少量）を微調整して、ランド後縁位置（次のピットの前縁位置）を微調整する。
【００１３】
図２の記録用レーザ光を用いて、シアニン系ディスク、フタロシアニン系ディスクにＫ値、Δ３Ｔ値、ΔＰ値を様々に変えて、各種記録速度倍率で記録を行ったときの再生信号の特性を図３〜図１９に示す。なお、トップパワー付加パルスＰ１のパルス幅Δｔはトップパワー付加パルスＰ１を付加するいずれの記録速度倍率のいずれのピット長においても１．２５Ｔで一定とした。また、ボトムパワーオフパルスＰ２は付加しなかった（つまり、ランド形成区間全体をボトムパワーＰｂで一定とした。）。オレンジブック規格によれば、３Ｔピットジッタ、３Ｔランドジッタはターゲットβが０〜８％の範囲内で３５nsec以下、１１Ｔピットデビエーション（ｄｅｖｉａｔｉｏｎ：ピットあるいはランドの正規の長さからのずれ量）はターゲットβが０〜８％の範囲内で±６０nsec内に収まることが要求されている。この要求を満たすＫ値、Δ３Ｔ値、ΔＰ値について検討する。
【００１４】
（１） １倍速記録
Δ３Ｔ＝０．３Ｔに設定し、Ｋ値を変えてシアニン系ディスクに１倍速記録を行ったときの再生信号の３Ｔピットジッタ特性を図３に示す。これによれば、Ｋ値を１より大きくすることで、ピットジッタが良くなる。そこで、Ｋ＝１．２５に設定し、Δ３Ｔ値を変えて同ディスクに１倍速記録を行ったところ、図４の３Ｔランドジッタ特性が得られた。これによれば、Δ３Ｔ＝０．３Ｔとすることでランドジッタが良くなり、パワーマージンが広がる。
【００１５】
（２） ２倍速記録
Δ３Ｔ＝０．２Ｔに設定し、Ｋ値を変えてシアニン系ディスクに２倍速記録を行ったときの再生信号の３Ｔランドジッタ特性を図５に示す。これによれば、Ｋ値を１より小さくすることで、ランドジッタが良くなリ、パワーマージンが広がる。そこで、Ｋ＝０．７５に設定し、Δ３Ｔ値を変えて同ディスクに２倍速記録を行ったところ、図６の３Ｔランドジッタ特性が得られた。これによれば、Δ３Ｔ＝０．２Ｔとすることでランドジッタが良くなり、パワーマージンが広がる。
【００１６】
（３） ６倍速記録
Δ３Ｔ＝０．１Ｔに設定し、Ｋ値を変えてシアニン系ディスクに６倍速記録を行ったときの再生信号の３Ｔピットジッタ特性を図７に示す。これによれば、Ｋ＝０．２とすることでピットジッタが良くなり、パワーマージンが広がる。そこで、Ｋ＝０．２に設定し、Δ３Ｔ値を変えて同ディスクに６倍速記録を行ったところ、図８の３Ｔピットジッタ特性が得られた。これによれば、Δ３Ｔ＝０．１Ｔとすることでピットジッタが良くなり、パワーマージンが広がる。
【００１７】
Δ３Ｔ＝０．１５Ｔに設定し、Ｋ値を変えてフタロシアニン系ディスクに６倍速記録を行ったときの再生信号の３Ｔピットジッタ特性を図９に示す。これによれば、Ｋ＝０．２とすることでピットジッタが良くなり、パワーマージンが広がる。そこで、Ｋ＝０．２に設定し、ΔＰ値を変えて同ディスクに６倍速記録を行ったところ、図１０の３Ｔピットジッタ特性および図１１の１１ピットデビエーション特性が得られた。これによれば、ΔＰ＝１５％（ΔＰの数値（％）は、図２のＰｔ−Ｐｂに対する割合である。）とΔＰ＝２０％では、パワーマージンは同程度であるが（図１０）、ΔＰ＝１５％の方が１１Ｔピットデビエーションが良いことから（図１１）、ΔＰ＝１５％の方が好ましいといえる。
【００１８】
（４） ８倍速記録
Δ３Ｔ＝０．２Ｔに設定し、Ｋ値を変えてシアニン系ディスクに８倍速記録を行ったときの再生信号の３Ｔランドジッタ特性、３Ｔピットジッタ特性を図１２，図１３にそれぞれ示す。これによれば、Ｋ＝０．００とすると、ランドジッタの立ち上がりはＫ＝−０．１２よりも早くパワーマージンが狭いが（図１２）、ピットジッタについてはＫ＝０．００の方がパワーマージンが広いため（図１３）、Ｋ＝０．００の方が好ましいといえる。そこで、Ｋ＝０．００に設定し、ΔＰ値を変えて同ディスクに８倍速記録を行ったところ、図１４の３Ｔピットジッタ特性および図１５の１１Ｔピットデビエーション特性が得られた。これによれば、ΔＰ＝２０％とΔＰ＝３０％とでは、ピットジッタはΔＰ＝３０％の方が良いが（図１４）、ΔＰ＝３０％は１１Ｔピットデビエーションが規格を満たさないので、ΔＰ＝２０％が適正である。
【００１９】
Δ３Ｔ＝０．２Ｔに設定し、Ｋ値を変えてフタロシアニン系ディスクに８倍速記録を行ったときの再生信号の３Ｔピットジッタ特性、３Ｔランドジッタ特性を図１６，図１７にそれぞれ示す。これによれば、Ｋ＝０．１２とすると、ピットジッタ、ランドジッタともに良好となる。そこで、Ｋ＝０．１２に設定し、ΔＰ値を変えて同ディスクに８倍速記録を行ったところ、図１８の３Ｔピットジッタ特性および図１９の３Ｔランドジッタ特性が得られた。これによれば、ΔＰ＝２０％とすると、パワーマージンが広くなる。
【００２０】
以上の結果およびその他の特性（エラーレート特性（Ｃ１エラー特性等）等）を勘案してシアニン系ディスクとフタロシアニン系ディスクについて各記録速度倍率ごとのＫ値、Δ３Ｔ値、ΔＰ値の最適値の範囲を求めたところ、表１〜表５の結果が得られた。なお、ΔＰ値はパルス幅Δｔが１．２５Ｔの場合のものである。パルス幅Δｔが１．２５Ｔでないときは、１．２５Ｔの場合と同等のレーザ光エネルギを供給するようにΔＰ値を設定する（Δｔ値を大きくすればΔＰ値を小さくし、Δｔ値を小さくすればΔＰ値を大きくする。）。
【００２１】
【表１】
0003829754.tif 000002
【００２２】
【表２】
0003829754.tif 000003
【００２３】
【表３】
0003829754.tif 000004
【００２４】
【表４】
0003829754.tif 000005
【００２５】
【表５】
0003829754.tif 000006
表１〜５によれば、Ｋ値は、記録速度倍率をｘとすると、次式で近似できる。
【００２６】
シアニン系：Ｋ＝−０．１６ｘ＋１．２
フタロシアニン系：Ｋ＝−０．１５ｘ＋１．１５
また、各記録速度倍率においてターゲットβの値を様々に変えてシアニン系ディスクに記録したときの再生信号の３Ｔランドジッタ特性を図２０に示す。これによれば、記録速度倍率が高くなるほどターゲットβの値を低くした方がランドジッタが良好となることがわかる。各記録速度倍率ごとのターゲットβの最適な範囲を表６に示す（シアニン系ディスク、フタロシアニン系ディスクに共通に適用可能である。）。
【００２７】
【表６】
0003829754.tif 000007
ターゲットβは記録深さに関係し、記録深さは記録時のレーザパワーで変わるから、ターゲットβは記録時のレーザパワー（トップパワー）Ｐｔで制御することができる。すなわち、レーザパワーＰｔを上げるとターゲットβの値は高くなり、レーザパワーＰｔを下げるとターゲットβの値は低くなる。したがって、最適なターゲットβの値（表６）が得られるレーザパワーＰｔの値を予め求めて、実際の記録時の記録速度倍率に応じて、該当するレーザパワーＰｔに制御して記録を行うことにより、いずれの記録速度倍率で記録した時でも、再生信号の波形歪を低く抑えてジッタを良好にすることができる。
【００２８】
Ｋ値、Δ３Ｔ値、ΔＰ値、ターゲットβ値を表１〜表６のように設定して記録を行うこの発明の光ディスク記録装置の実施の形態を以下説明する。図２１はこの発明が適用された光ディスク記録再生装置１のシステム構成を示すものである。入力装置２８ではオペレータの操作等により記録速度倍率が設定される。ディスクサーボ回路１６は、システムコントローラ１９からの指令により、スピンドルモータ１２を設定された記録速度倍率で線速度一定（１倍速時は１．２ｍ／ｓ〜１．４ｍ／ｓ、２倍速時は１倍速時の２倍、４倍速時は１倍速時の４倍、６倍速時は１倍速時の６倍、８倍速時は１倍速時の８倍）に制御する。速度一定制御は、オレンジブック規格の場合、プリグルーブのウォブル（Ｗｏｂｂｌｅ）が２２．０５kHz になるように規定されているので、光ヘッド１３の出力信号からウォブルを検出して（トラッキングエラー信号の残留分から検出できる。）、これが所定の周波数（１倍速時は２２．０５kHz 、２倍速時は４４．１kHz 、４倍速時は８８．２kHz 、６倍速時は１３２．３kHz 、８倍速時は１７６．４kHz 、……）で検出されるようにスピンドルモータ１２をＰＬＬ制御することで実現される。
【００２９】
フォーカスサーボおよびトラッキングサーボ回路１８は、システムコントローラ１９からの指令により、光ヘッド１３内の半導体レーザから出射されるレーザ光１１のフォーカスおよびトラッキングを制御する。トラッキング制御は光ディスク１０に形成されたプリグルーブを検出することにより行なわれる。フィードサーボ回路１７はシステムコントローラ１９からの指令により、フィードモータ２０を駆動して光ヘッド１３を光ディスク１０の径方向に移動させる。
【００３０】
光ディスク１０（通称ＣＤ−Ｒと呼ばれるＣＤ−ＷＯディスク）に記録すべき入力信号は、記録速度倍率に応じた速度でディジタル信号の場合は直接記録信号形成回路２２に入力され、オーディオ信号等のアナログ信号の場合はＡ／Ｄ変換器２４を経て記録信号形成回路２２に入力される。記録信号形成回路２２は、入力データにインタリーブをかけて、エラーチェックコードを付与し、またＴＯＣおよびサブコード生成回路２３で生成されるＴＯＣ情報およびサブコード情報を付与し、ＥＦＭ変調してＣＤ規格のフォーマットおよび記録速度倍率に応じた転送レートで一連のシリアルデータを形成し、記録信号として出力する。
【００３１】
この記録信号は、ドライブインターフェイス１５を介して記録信号補正回路２６で使用ディスク種類（色素材料別、メーカ別等）、線速度、記録速度倍率等に応じて選択された記録ストラテジーによる変調を受けてレーザ発生回路２５に入力される。レーザ発生回路２５は記録信号に応じて光ヘッド１３内の半導体レーザを駆動してレーザ光を光ディスク１０の記録面に照射し、ピットを形成して記録を行なう。この時のレーザパワーは記録速度倍率および必要に応じて線速度に応じた値に指令され、ＡＬＰＣ（Automatic Laser Power Control ）回路でこの指令されたパワーに高精度に制御される。これにより、光ディスク１０にはＣＤ規格のフォーマット、転送速度および線速度（１．２〜１．４ｍ／ｓ）でデータが記録される。なお、ターゲットβの値は記録速度倍率が高くなるほど低くなるが、レーザ光の記録パワー値自体は、記録速度倍率が高くなるほど高くなる。
【００３２】
以上のようにして記録した光ディスク１０に再生用レーザ光を照射して再生すると、読出データは信号再生処理回路３０で復調され、そのままディジタル信号として、またＤ／Ａ変換器３１でアナログ信号に変換されて出力される。
【００３３】
図２１のシステムコントローラ１９による記録制御の制御ブロックを図１に示す。記録速度倍率設定手段２８は図２１の入力装置２８に相当し、操作者の操作により記録速度倍率（×１，×２，×４，×６，×８，…）を設定する。ディスク種類および線速度判別手段３２は、装置にセットされている光ディスク１０のディスク種類および線速度を判別するものである。ディスク種類は、例えば光ディスク１０に予め記録されているディスクＩＤのうちディスク種類を示す情報を利用して判別することができる。あるいはディスク種類の選択スイッチ等を用意しておいて、ユーザが選択操作してディスク種類の情報を入力することもできる。また、線速度は例えばディスクのリードイン部のＡＴＩＰ信号に記録されている録音時間（６３分タイプ、７４分タイプその他それらの中間のタイプ）を読み取って、それから該当する線速度を判別（６３分タイプは１．４ｍ／ｓ、７４分タイプは１．２ｍ／ｓ）したり、スピンドルモータのエンコーダ出力から算出することができる。
【００３４】
記録ストラテジー記憶手段３４は、ディスク種類、線速度および記録速度倍率の組合せに応じて図２の記録パルスを表１〜表５に適合する設定で発生する記録ストラテジー（時間変化パターン、記録パワー等）を記憶している。また、記録速度倍率が高くなるほど低くなるターゲットβの最適値（表６に適合する値）も記憶している。記録ストラテジー選択手段３６は、入力されるディスク種類、線速度、記録速度倍率の情報に応じて該当する記録ストラテジーを記録ストラテジー記憶手段３４から読み出す。制御手段３８は読み出された記録ストラテジーに応じて記録信号補正回路２６を制御して記録信号のピット形成部分やブランク形成部分の長さに変調を加える。また、前述したＯＰＣ制御を実行して、記録速度倍率ごとに定められたターゲットβの最適値を実現する記録パワーを目標値として求めて記憶する。本番の記録時には、レーザ発生回路２５を制御して、レーザパワーを、指令された記録速度倍率について求められた目標値に制御する。また、ディスクサーボ回路１６を制御して、指令された記録速度倍率に相当する速度にスピンドルモータ１２を回転制御する。このようにして、光ディスク１０の記録が行われる。なお、上記実施の形態で記載した事項以外はオレンジブックパートII、Ｖｏｌ．３．０の規格に準拠する。
【図面の簡単な説明】
【図１】  この発明の実施の形態を示す制御ブロック図で、図２１のシステムコントローラによる記録制御の内容を示すものである。
【図２】  この発明の記録用レーザのレーザパワーの時間変化の一例を示す波形図である。
【図３】  シアニン系ディスクに１倍速記録を行ったときの再生信号の３Ｔピットジッタ特性図である。
【図４】  シアニン系ディスクに１倍速記録を行ったときの再生信号の３Ｔランドジッタ特性図である。
【図５】  シアニン系ディスクに２倍速記録を行ったときの再生信号の３Ｔランドジッタ特性図である。
【図６】  シアニン系ディスクに２倍速記録を行ったときの再生信号の３Ｔランドジッタ特性図である。
【図７】  シアニン系ディスクに６倍速記録を行ったときの再生信号の３Ｔピットジッタ特性図である。
【図８】  シアニン系ディスクに６倍速記録を行ったときの再生信号の３Ｔピットジッタ特性図である。
【図９】  フタロシアニン系ディスクに６倍速記録を行ったときの再生信号の３Ｔピットジッタ特性図である。
【図１０】  フタロシアニン系ディスクに６倍速記録を行ったときの再生信号の３Ｔピットジッタ特性図である。
【図１１】  フタロシアニン系ディスクに６倍速記録を行ったときの再生信号の１１Ｔピットデビエーション特性図である。
【図１２】  シアニン系ディスクに８倍速記録を行ったときの再生信号の３Ｔランドジッタ特性図である。
【図１３】  シアニン系ディスクに８倍速記録を行ったときの再生信号の３Ｔピットジッタ特性図である。
【図１４】  シアニン系ディスクに８倍速記録を行ったときの再生信号の３Ｔピットジッタ特性図である。
【図１５】  シアニン系ディスクに８倍速記録を行ったときの再生信号の１１Ｔピットデビエーション特性図である。
【図１６】  フタロシアニン系ディスクに８倍速記録を行ったときの再生信号の３Ｔピットジッタ特性図である。
【図１７】  フタロシアニン系ディスクに８倍速記録を行ったときの再生信号の３Ｔランドジッタ特性図である。
【図１８】  フタロシアニン系ディスクに８倍速記録を行ったときの再生信号の３Ｔピットジッタ特性図である。
【図１９】  フタロシアニン系ディスクに８倍速記録を行ったときの再生信号の３Ｔランドジッタ特性図である。
【図２０】  各記録速度倍率においてターゲットβの値を様々に変えて記録したときの再生信号の３Ｔランドジッタ特性である。
【図２１】  この発明を適用した光ディスク記録再生装置の実施の形態を示すシステム構成ブロック図である。
【符号の説明】
１０ 光ディスク
３８ 制御手段
【図１】
0003829754.tif 000008
【図２】
0003829754.tif 000009
【図３】
0003829754.tif 000010
【図４】
0003829754.tif 000011
【図５】
0003829754.tif 000012
【図６】
0003829754.tif 000013
【図７】
0003829754.tif 000014
【図８】
0003829754.tif 000015
【図９】
0003829754.tif 000016
【図１０】
0003829754.tif 000017
【図１１】
0003829754.tif 000018
【図１２】
0003829754.tif 000019
【図１３】
0003829754.tif 000020
【図１４】
0003829754.tif 000021
【図１５】
0003829754.tif 000022
【図１６】
0003829754.tif 000023
【図１７】
0003829754.tif 000024
【図１８】
0003829754.tif 000025
【図１９】
0003829754.tif 000026
【図２０】
0003829754.tif 000027
【図２１】
0003829754.tif 000028